(57)【特許請求の範囲】
【請求項１】
上側に取り付けられたスプロケットと共に垂直軸に対して回動自在に取り付けられ横向きに吸引穴が形成された凹部が外周に均等に複数箇所形成され前記吸引穴と夫々連通すると共に下方に開口した縦穴が該凹部に夫々対応するように円形に配列して形成された吸引体と、回転する該吸引体と上面が摺動するように前記垂直軸に固定され複数の前記縦穴と同時に相対することができるような円弧形状の溝である吸引ポケットが該上面に形成され該吸引ポケットの少なくとも１箇所に下方に貫通する貫通穴が形成された吸引台座と、該吸引台座の前記貫通穴とホースを介して接続され吸引した余分な電解液を回収する回収タンクと、該回収タンクと吸気管を介して接続される吸気装置と、前記スプロケットに巻き掛けられ電解コンデンサ素子のリード線を把持するクランプが整列状態で取り付けられ把持した前記電解コンデンサ素子の前記外周面を順次前記吸引穴に接近させ又は離間させる巻掛け伝動部材とを備えたことを特徴とする電解コンデンサ素子の脱液装置。
【請求項２】
上側に取り付けられた第１のスプロケットと共に第１の垂直軸に対して回動自在に取り付けられ凹部が外周に均等に複数箇所形成され夫々の該凹部に縦方向に複数形成された横向きの吸引穴と夫々連通すると共に下方に開口した縦穴が前記凹部に夫々対応するように円形に配列して形成された第１の吸引体と、上側に取り付けられた第２のスプロケットと共に前記第１の吸引体と平行な第２の垂直軸に対して回動自在に取り付けられ前記第１の吸引体と同様に構成された第２の吸引体と、回転する該第１の吸引体と上面が摺動するように前記第１の垂直軸に固定され複数の前記縦穴と同時に相対することができるような円弧形状の溝である吸引ポケットが該上面に形成され該吸引ポケットの少なくとも１箇所に下方に貫通する貫通穴が形成された第１の吸引台座と、該第１の吸引台座と同様に構成され回転する前記第２の吸引体と上面が摺動するようにかつ吸引ポケットの位置が前記第１の吸引台座の前記吸引ポケットの位置に対して対称となるように前記第２の垂直軸に固定された第２の吸引台座と、前記第１の吸引台座及び前記第２の吸引台座の前記貫通穴とホースを介して夫々接続され吸引した余分な電解液を回収する回収タンクと、該回収タンクと吸気管を介して接続される吸気装置と、前記第１のスプロケット及び前記第２のスプロケットに対してＳ字形に巻き掛けられ電解コンデンサ素子のリード線を把持するクランプが整列状態で取り付けられたチェーンとを備え、前記クランプにより把持した前記電解コンデンサ素子が順に前記第１の吸引体及び前記第２の吸引体に接近するように搬送して前記電解コンデンサ素子の外周面及び底面に付着している余分な電解液を前記第１の吸引体及び第２の吸引体により夫々反対側から吸引して除去するように構成したことを特徴とする電解コンデンサ素子の脱液装置。
【発明の詳細な説明】
【０００１】
【発明の属する技術分野】
本発明は、主として大型の電解コンデンサ素子の脱液装置に係り、特に真空含浸処理により電解コンデンサ素子の外周面及び底面に付着した余分な電解液を、横方向から吸引することで、均一にかつ速やかに除去できるようにして、余分な電解液による機械の汚れを防止すると共に、均一な含浸特性及び容量特性を持つ電解コンデンサ素子が得られるようにした、品質が安定した電解コンデンサの製造に極めて有用な電解コンデンサ素子の脱液装置に関する。
【０００２】
【従来の技術】
真空含浸処理された電解コンデンサ素子の外周面及び底面には、表面張力により多量の余分な電解液が付着している。この余分な電解液が付着したままだと、完成した電解コンデンサの容量特性がばらついたり、周辺の機械に付着して該機械を汚す原因となるため、できるだけ速やかに、かつ十分に除去する必要がある。
【０００３】
余分な電解液を除去する手段としては、例えば吸引により余分な電解液を除去する吸引脱液方式が従来から用いられており、これは例えばステンレス製の金網をリード線を上側にした電解コンデンサ素子の底面に軽く押し当て、金網の側から空気を吸引することにより余分な電解液を吸引して除去するものであった。
【０００４】
ところがこの方式では、底面に付着した電解液は除去できても、外周面に付着した電解液については、吸引力が十分に及ばないことからあまり除去できないという不具合があった。粘度の高い電解液の場合には、特に強い表面張力が作用しており、多くの電解液が除去できずに残ってしまっていた。また電解コンデンサ素子に金網を押し当てた際に、電極箔の損傷や折損等を引き起こし易いという不具合があった。
【０００５】
【発明が解決しようとする課題】
本発明は、上記した従来技術の欠点を除くためになされたものであって、その目的とするところは、電解液が真空含浸され余分な電解液が外周面及び底面に付着した状態の電解コンデンサ素子を、リード線を把持して吊り下げて搬送しながら、電解液を吸引する吸引穴が横向きに形成された吸引体に接近させ、余分な電解液を該吸引穴から横方向に吸引して除去することによって、電解コンデンサ素子を押圧することなく、該底面及び外周面に付着した余分な電解液を速やかに除去できるようにすることである。
【０００６】
また他の目的は、電解液が真空含浸され余分な電解液が外周面及び底面に付着した状態の電解コンデンサ素子を、リード線を把持して吊り下げて搬送しながら、電解液を吸引する吸引穴が横向きに形成された第１の吸引体に接近させて該吸引体に近い側の外周面及び底面に付着している余分な電解液を該吸引穴から横方向に吸引して除去し、次に電解コンデンサ素子の反対側の外周面を第１の吸引体と同様に吸引穴が横向きに形成された第２の吸引体に接近させて該吸引穴から第１の吸引体では除去されていない余分な電解液を横方向に吸引することによって、相対する２方向から余分な電解液を夫々吸引するようにして、電解コンデンサ素子の外周面から余分な電解液を十分に、かつ均一に除去できるようにすることであり、またこれによって均一な含浸特性及び容量特性を持つ電解コンデンサ素子が得られるようにすることである。
【０００７】
更に他の目的は、上側に取り付けられたスプロケットと共に垂直軸に対して回動自在に取り付けられ、横向きに吸引穴が形成された凹部が外周に均等に複数箇所形成され、吸引穴と夫々連通すると共に下方に開口した縦穴が該凹部に夫々対応するように円形に配列して形成された吸引体を、スプロケットに巻き掛けられた巻掛け伝動部材によって回転させながら、該巻掛け伝動部材のクランプに電解コンデンサ素子を整列状態で取り付けて搬送するように構成し、吸引体と上面が摺動するように垂直軸に固定され複数の縦穴と同時に相対することができるような円弧形状の溝である吸引ポケットが該上面に形成された吸引台座と回収タンクとをホースにより接続し、吸気装置と回収タンクとを吸気管により接続することによって、電解コンデンサ素子を順次吸引体に接近させるように搬送し、該外周面が吸引穴に接近している間に付着している余分な電解液を吸引して回収タンクに回収し、その後吸引体から離間させるようにして、余分な電解液の脱液を効率的に行うことができるようにすることである。
【０００８】
また他の目的は、上記構成において、第１のスプロケットと共に第１の垂直軸に対して回動自在に取り付けられた第１の吸引体と、該第１の吸引体と上面が摺動するように第１の垂直軸に固定された第１の吸引台座と、上側に取り付けられた第２のスプロケットと共に第１の吸引体と平行な第２の垂直軸に対して回動自在に取り付けられ第１の吸引体と同様に構成された第２の吸引体と、第１の吸引台座と同様に構成され回転する第２の吸引体と上面が摺動するようにかつ吸引ポケットの位置が第１の吸引台座の吸引ポケットの位置に対して対称となるように第２の垂直軸に固定された第２の吸引台座と、第１のスプロケット及び第２のスプロケットに対してＳ字形に巻き掛けられ電解コンデンサ素子のリード線を把持するクランプが整列状態で取り付けられたチェーンとを備え、クランプにより把持した電解コンデンサ素子が順に第１の吸引体及び第２の吸引体に接近するように搬送して、電解コンデンサ素子の外周面及び底面に付着している余分な電解液を第１の吸引体及び第２の吸引体により夫々反対側から吸引して除去するように構成することによって、電解コンデンサ素子の外周面及び底面に粘度の高い電解液が付着している場合でも、該電解液を均一にかつ速やかに除去できるようにすることであり、またこれによって電解コンデンサ素子を真空含浸処理後ケースに組み付けるまでの大気に触れる時間を１／２以下として、品質が安定した電解コンデンサが得られるようにすることである。
【０００９】
【課題を解決するための手段】
【００１１】
要するに本発明（請求項１）は、上側に取り付けられたスプロケットと共に垂直軸に対して回動自在に取り付けられ横向きに吸引穴が形成された凹部が外周に均等に複数箇所形成され前記吸引穴と夫々連通すると共に下方に開口した縦穴が該凹部に夫々対応するように円形に配列して形成された吸引体と、回転する該吸引体と上面が摺動するように前記垂直軸に固定され複数の前記縦穴と同時に相対することができるような円弧形状の溝である吸引ポケットが該上面に形成され該吸引ポケットの少なくとも１箇所に下方に貫通する貫通穴が形成された吸引台座と、該吸引台座の前記貫通穴とホースを介して接続され吸引した余分な電解液を回収する回収タンクと、該回収タンクと吸気管を介して接続される吸気装置と、前記スプロケットに巻き掛けられ電解コンデンサ素子のリード線を把持するクランプが整列状態で取り付けられ把持した前記電解コンデンサ素子の前記外周面を順次前記吸引穴に接近させ又は離間させる巻掛け伝動部材とを備えたことを特徴とするものである。
【００１２】
また本発明（請求項２）は、上側に取り付けられた第１のスプロケットと共に第１の垂直軸に対して回動自在に取り付けられ凹部が外周に均等に複数箇所形成され夫々の該凹部に縦方向に複数形成された横向きの吸引穴と夫々連通すると共に下方に開口した縦穴が前記凹部に夫々対応するように円形に配列して形成された第１の吸引体と、上側に取り付けられた第２のスプロケットと共に前記第１の吸引体と平行な第２の垂直軸に対して回動自在に取り付けられ前記第１の吸引体と同様に構成された第２の吸引体と、回転する該第１の吸引体と上面が摺動するように前記第１の垂直軸に固定され複数の前記縦穴と同時に相対することができるような円弧形状の溝である吸引ポケットが該上面に形成され該吸引ポケットの少なくとも１箇所に下方に貫通する貫通穴が形成された第１の吸引台座と、該第１の吸引台座と同様に構成され回転する前記第２の吸引体と上面が摺動するようにかつ吸引ポケットの位置が前記第１の吸引台座の前記吸引ポケットの位置に対して対称となるように前記第２の垂直軸に固定された第２の吸引台座と、前記第１の吸引台座及び前記第２の吸引台座の前記貫通穴とホースを介して夫々接続され吸引した余分な電解液を回収する回収タンクと、該回収タンクと吸気管を介して接続される吸気装置と、前記第１のスプロケット及び前記第２のスプロケットに対してＳ字形に巻き掛けられ電解コンデンサ素子のリード線を把持するクランプが整列状態で取り付けられたチェーンとを備え、前記クランプにより把持した前記電解コンデンサ素子が順に前記第１の吸引体及び前記第２の吸引体に接近するように搬送して前記電解コンデンサ素子の外周面及び底面に付着している余分な電解液を前記第１の吸引体及び第２の吸引体により夫々反対側から吸引して除去するように構成したことを特徴とするものである。
【００１３】
【発明の実施の形態】
以下本発明を図面に示す実施例に基いて説明する。本発明に係る電解コンデンサ素子の脱液装置１は、図１から図７において、第１の吸引体１１と、第２の吸引体１２と、第１の吸引台座２１と、第２の吸引台座２２と、回収タンク２と、吸気装置３と、巻掛け伝動部材の一例たるチェーン４とを備えている。
【００１４】
第１の吸引体１１は、図１から図４に示すように、上側に取り付けられた第１のスプロケット３１と共に第１の垂直軸４１に対して回動自在に取り付けられ、凹部１１ａが外周に均等に複数箇所形成され、夫々の該凹部１１ａに縦方向に複数形成された横向きの吸引穴１１ｂと夫々連通すると共に下方に開口した縦穴１１ｃが凹部１１ａに夫々対応するように円形に配列して形成されたものであって、凹部１１ａは電解コンデンサ素子５が接触することなく収まるような円弧形状に夫々形成され、第１の吸引体１１の外周に例えば１０箇所の凹部１１ａが形成されている。該凹部１１ａには、縦方向に例えば３箇所に吸引穴１１ｂが形成されている。
【００１５】
最も下の吸引穴１１ｂは、ちょうど電解コンデンサ素子５の底面５ｂが接近する高さに位置し、主に該底面５ｂに付着している余分な電解液６を吸引するようになっている。また該吸引穴１１ｂの高さには、底面５ｂからの電解液６の滴下を防止するためのフランジ１１ｄが第１の吸引体１１の全周に一体的に形成され、最も下の吸引穴１１ｂの延長上となる該フランジ１１ｄの表面には直線溝１１ｆが形成されている。
【００１６】
その他の上側の吸引穴１１ｂは、電解コンデンサ素子５の外周面５ａが接近する高さに位置し、該外周面５ａに付着している余分な電解液６を吸引するようになっている。
【００１７】
第１のスプロケット３１には、ピン３３がねじ３４によって取り付けられており、第１の吸引体１１の上側から差し込むことにより、ピン３３を該第１の吸引体１１の差込み穴１１ｅに嵌入させることで該第１の吸引体１１に対して回り止めがなされ、また軸受３５，３６により第１の垂直軸４１に軸支されることで、第１のスプロケット３１の回転と共に第１の吸引体１１が回転するようになっている。
【００１８】
第１の垂直軸４１は、上下に夫々配設された水平板４３，４４に固定されており、軸受３５と水平板４３との間には、スペーサ３８が取り付けられている。
【００１９】
また第１のスプロケット３１が差し込まれた第１の吸引体１１の内部には、例えば圧縮コイルばね３９が取り付けられており、第１の吸引体１１を第１の吸引台座２１に押し付けると共に、第１のスプロケット３１を上方に押し上げるようになっている。これは第１のスプロケット３１及び第１の吸引体１１の夫々の上下方向のがたつきを防止すると共に、第１の吸引台座２１との密着性を高めるためのものである。
【００２０】
第１の吸引体１１は、第１の垂直軸４１に対して滑り接触して回転するようになっているが、もちろん軸受を用いた構造にしてもよい。
【００２１】
第２の吸引体１２は、上側に取り付けられた第２のスプロケット３２と共に第１の吸引体１１と平行な第２の垂直軸４２に対して回動自在に取り付けられ、第１の吸引体１１と同様に構成されたものであって、凹部１２ａ、吸引穴１２ｂ、縦穴１２ｃ、フランジ１２ｄ、図示しない差込み穴及び直線溝１２ｆが第１の吸引体１１と同様に形成されている。
【００２２】
第２のスプロケット３２にも、第１のスプロケット３１と同様に、ピン３３がねじ３４によって取り付けられており、該ピン３３によって第２の吸引体１２に対しての回り止めがなされ、また軸受３５，３６により第２の垂直軸４２に軸支されることで、第２のスプロケット３２の回転と共に第２の吸引体１２が回転するようになっている。
【００２３】
第２の垂直軸４２は、第１の垂直軸と４１と平行に、上下に夫々配設された水平板４３，４４に固定されており、軸受３５と水平板４３との間には、スペーサ３８が取り付けられている。
【００２４】
また第２のスプロケット３２が差し込まれた第２の吸引体１２の内部には、第１の吸引体１１と同様に、例えば圧縮コイルばね３９が取り付けられており、第２の吸引体１２を第２の吸引台座２２に押し付けると共に、第２のスプロケット３２を上方に押し上げるようになっている。
【００２５】
第２吸引体１２についても、第２の垂直軸４２に対して滑り接触して回転するようになっているが、もちろん軸受を用いた構造にしてもよい。
【００２６】
第１の吸引台座２１は、図１から図４に示すように、回転する第１の吸引体１１と上面２１ａが摺動するように第１の垂直軸４１に固定され、複数の縦穴１１ｃと同時に相対することができるような円弧形状の溝である吸引ポケット２１ｂが該上面２１ａに形成され、該吸引ポケット２１ａの少なくとも１箇所に下方に貫通する貫通穴２１ｃが形成された円柱形状のものであって、中央に第１の垂直軸４１を嵌入するための軸取付け穴２１ｄが形成され、該軸取付け穴２１ｄから半径方向に割り２１ｅが形成されている。
【００２７】
第１の吸引台座２１は、図示しないねじをねじ取付け穴２１ｆに差し込んで、図示しない雌ねじに締め込むことによって、第１の垂直軸４１に締付け固定されるようになっている。また貫通穴２１ｃには、下側からホースニップル２３が取り付けられるようになっている。
【００２８】
第２の吸引台座２２は、第１の吸引台座２１と同様に構成され、回転する第２の吸引体１２と上面２２ａが摺動するように、かつ吸引ポケット２２ｂの位置が第１の吸引台座２１の吸引ポケット２１ｂの位置に対して対称となるように第２の垂直軸４２に固定されたものであって、貫通穴２２ｃ、軸取付け穴、割り及びねじ取付け穴（図示せず）が第１の吸引台座２１と同様に形成されている。
【００２９】
第２の吸引台座２２の形状は第１の吸引台座２１と全く同一であり、図６に示すように、吸引ポケット２２ｂの位置が吸引ポケット２１ｂの位置と対称となるように取付けの向きだけを逆にしたものである。貫通穴２２ｃにも、下側からホースニップル２３が取り付けられるようになっている。
【００３０】
回収タンク２は、図１、図２及び図７に示すように、第１の吸引台座２１及び第２の吸引台座２２の貫通穴２１ｃ，２２ｃとホース２４を介して夫々接続され、吸引した余分な電解液６を回収するためのものであって、上側にホース２４を接続するためのホースニップル２５が２個取り付けられ、該ホースニップル２５に連通して回収タンク２内に下向きに貫通するパイプ２６が取り付けられている。
【００３１】
パイプ２６の周囲は網状のバスケット２８により囲まれており、電解液６の飛び散りを防ぐようになっている。また回収タンク２には、液面センサ２９が取り付けられており、回収した電解液６の上限を検出するようになっている。
【００３２】
ホースニップル２５から離れた位置となる回収タンク２の上側には、該回収タンク２を貫通する吸気管取付け口３０が取り付けられている。
【００３３】
吸気装置３は、図１及び図２に示すように、回収タンク２と吸気管８を介して接続される、例えば吸引用のブロアモータであって、吸気管８から吸引した空気を排気管９に排出するようになっている。排気管９は、ループ状に巻かれた状態となっており、排気音を低減させてから大気に放出するようになっている。
【００３４】
チェーン４は、図５及び図６に示すように、第１のスプロケット３１及び第２のスプロケット３２に対してＳ字形に巻き掛けられ、電解コンデンサ素子５のリード線５ｃを把持するクランプ４５が整列状態で取り付けられたものであって、第１のスプロケット３１及び第２のスプロケット３２だけでなく、前工程である真空含浸槽１３内のスプロケット１４や、他の工程に配設されたスプロケット１５にも巻き掛けられており、各工程を循環走行するようになっている。
【００３７】
本発明は、上記のように構成されており、以下その作用について説明する。図２、図５及び図６に示すように、電解コンデンサ素子５は、クランプ４５にリード線５ｃを把持されて、矢印Ａ方向に循環走行するチェーン４により搬送される。
【００３８】
真空含浸槽１３で、電解液６の含浸が行われ、含浸終了後電解コンデンサ素子５は、該真空含浸槽１３から出され、直ちに第１の吸引体１１に搬送される。
【００３９】
一方運転状態の吸気装置３は、吸気管８から矢印Ｂ方向に吸気した空気をループ状の排気管９内に矢印Ｃ方向に排出しており、該空気は排気管９の中でエネルギを失い排気音が減少した状態で大気中に矢印Ｄ方向に放出される。
【００４０】
このとき吸気装置３と吸気管８により接続された回収タンク２内には負圧が生じるため、回収タンク２内の空気は矢印Ｅ方向に吸引されて行き、またこれに伴ってホース２４から矢印Ｆ方向に空気が回収タンク２内に吸引されて、第１の吸引体１１及び第２の吸引体１２の吸引穴１１ｂ，１２ｂに夫々吸引作用が生ずる。
【００４１】
第１の吸引体１１に接近するように搬送された電解コンデンサ素子５は、図１及び図６に示すように、凹部１１ａに順次収まり、そのまま第１の吸引体１１と共に矢印Ｇ方向に１８０°回転する。この間に吸引穴１１ｂから余分な電解液６が吸引され、縦穴１１ｃ、吸引ポケット２１ｂ、貫通穴２１ｃ及びホース２４を通って回収タンク２に送られる。吸引ポケット２１ｂは、円弧形状に形成されているので、１８０°回転している間は常に縦穴１１ｃと通じており、本実施例では同時に６個の電解コンデンサ素子５の脱液を行うことができる。
【００４２】
上側の２つの吸引穴１１ｂは、主に電解コンデンサ素子５の外周面５ａに付着した電解液６を吸引し、最も下の吸引穴１１ｂは、主に底面５ｂに付着した電解液６を吸引する。
【００４３】
第１の吸引体１１には、フランジ１１ｄが形成されているので、底面５ｂに付着した電解液が滴下して他の部位に付着することはなく、またフランジ１１ｄには直線溝１１ｆが形成されているので、フランジ１１ｄに付着した電解液６も容易に吸引することができる。
【００４４】
回収タンク２内では、図７に示すように、ホース２４により送られた電解液６は、慣性力により矢印Ｈ方向に落下して貯留され、空気は矢印Ｅ方向、即ち吸気管８に吸引されて行く。回収された電解液６が一定量に達すると、液面センサ２９がこれを検知する。
【００４５】
電解コンデンサ素子５が第１の吸引体１１と共に１８０°回転する間に、図６に示すように、吸引穴１１ｂに接近していた側の電解液６は除去されるが、反対側にはまだ電解液６が付着した状態となっているので、これを除去する必要がある。電解コンデンサ素子５は、次に第２の吸引体１２に搬送される。
【００４６】
第２の吸引体１２では、図１及び図６に示すように、反対側の外周面５ａが吸引穴１２ｂに接近した状態で、第２の吸引体１２と共に矢印Ｉ方向に１８０°回転し、その間に第１の吸引体１１と同様に、余分な電解液６の吸引が行われる。これによって、外周面５ｂの全面から余分な電解液６が除去されるので、均一な含浸特性及び容量特性を持つ電解コンデンサ素子５が得られる。
【００４７】
【発明の効果】
本発明は、上記のように電解液が真空含浸され余分な電解液が外周面及び底面に付着した状態の電解コンデンサ素子を、リード線を把持して吊り下げて搬送しながら、電解液を吸引する吸引穴が横向きに形成された吸引体に接近させ、余分な電解液を該吸引穴から横方向に吸引して除去するようにしたので、電解コンデンサ素子を押圧することなく、該底面及び外周面に付着した余分な電解液を速やかに除去できるという効果がある。
【００４８】
また電解液が真空含浸され余分な電解液が外周面及び底面に付着した状態の電解コンデンサ素子を、リード線を把持して吊り下げて搬送しながら、電解液を吸引する吸引穴が横向きに形成された第１の吸引体に接近させて該吸引体に近い側の外周面及び底面に付着している余分な電解液を該吸引穴から横方向に吸引して除去し、次に電解コンデンサ素子の反対側の外周面を第１の吸引体と同様に吸引穴が横向きに形成された第２の吸引体に接近させて該吸引穴から第１の吸引体では除去されていない余分な電解液を横方向に吸引するようにしたので、相対する２方向から余分な電解液を夫々吸引するようにして、電解コンデンサ素子の外周面から余分な電解液を十分に、かつ均一に除去できることとなり、またこの結果均一な含浸特性及び容量特性を持つ電解コンデンサ素子が得られるという効果がある。
【００４９】
更には、上側に取り付けられたスプロケットと共に垂直軸に対して回動自在に取り付けられ、横向きに吸引穴が形成された凹部が外周に均等に複数箇所形成され、吸引穴と夫々連通すると共に下方に開口した縦穴が該凹部に夫々対応するように円形に配列して形成された吸引体を、スプロケットに巻き掛けられた巻掛け伝動部材によって回転させながら、該巻掛け伝動部材のクランプに電解コンデンサ素子を整列状態で取り付けて搬送するように構成し、吸引体と上面が摺動するように垂直軸に固定され複数の縦穴と同時に相対することができるような円弧形状の溝である吸引ポケットが該上面に形成された吸引台座と回収タンクとをホースにより接続し、吸気装置と回収タンクとを吸気管により接続したので、電解コンデンサ素子を順次吸引体に接近させるように搬送し、該外周面が吸引穴に接近している間に付着している余分な電解液を吸引して回収タンクに回収し、その後吸引体から離間させるようにして、余分な電解液の脱液を効率的に行うことができるという効果が得られる。
【００５０】
また上記構成において、第１のスプロケットと共に第１の垂直軸に対して回動自在に取り付けられた第１の吸引体と、該第１の吸引体と上面が摺動するように第１の垂直軸に固定された第１の吸引台座と、上側に取り付けられた第２のスプロケットと共に第１の吸引体と平行な第２の垂直軸に対して回動自在に取り付けられ第１の吸引体と同様に構成された第２の吸引体と、第１の吸引台座と同様に構成され回転する第２の吸引体と上面が摺動するようにかつ吸引ポケットの位置が第１の吸引台座の吸引ポケットの位置に対して対称となるように第２の垂直軸に固定された第２の吸引台座と、第１のスプロケット及び第２のスプロケットに対してＳ字形に巻き掛けられ電解コンデンサ素子のリード線を把持するクランプが整列状態で取り付けられたチェーンとを備え、クランプにより把持した電解コンデンサ素子が順に第１の吸引体及び第２の吸引体に接近するように搬送して、電解コンデンサ素子の外周面及び底面に付着している余分な電解液を第１の吸引体及び第２の吸引体により夫々反対側から吸引して除去するように構成したので、電解コンデンサ素子の外周面及び底面に粘度の高い電解液が付着している場合でも、該電解液を均一にかつ速やかに除去できるという効果があり、またこの結果電解コンデンサ素子を真空含浸処理後ケースに組み付けるまでの大気に触れる時間を１／２以下とすることが可能となり、品質が安定した電解コンデンサが得られるという効果がある。
【図面の簡単な説明】
【図１】電解コンデンサ素子の脱液装置の部分縦断面正面図である。
【図２】電解コンデンサ素子の脱液装置により、真空含浸された電解コンデンサ素子から余分な電解液を吸気装置により吸引して、回収タンクに回収する状態を示す縦断面図である。
【図３】第１の吸引体及び第１の吸引台座の取付け状態と、チェーンにより搬送される電解コンデンサ素子と吸引穴との位置関係を示す縦断面図である。
【図４】第１の吸引体、第１の吸引台座、第１のスプロケット及び第１の垂直軸の取付け状態を示す部分破断分解斜視図である。
【図５】チェーンが各工程のスプロケットに巻き掛けられている状態を示す平面図である。
【図６】スプロケットにより導かれて第１の吸引体及び第２の吸引体にＳ字形に巻き掛けられたチェーンと、該チェーンと共に搬送される電解コンデンサ素子の平面図である。
【図７】回収タンクの使用状態を示す縦断面図である。
【符号の説明】
１    電解コンデンサ素子の脱液装置
２    回収タンク
３    吸気装置
４    巻掛け伝動部材の一例たるチェーン
５    電解コンデンサ素子
５ａ  外周面
５ｂ  底面
５ｃ  リード線
６    電解液
８    吸気管
１１    第１の吸引体
１１ａ  凹部
１１ｂ  吸引穴
１１ｃ  縦穴
１２    第２の吸引体
１２ａ  凹部
１２ｂ  吸引穴
１２ｃ  縦穴
２１    第１の吸引台座
２１ａ  上面
２１ｂ  吸引ポケット
２１ｃ  貫通穴
２２    第２の吸引台座
２２ａ  上面
２２ｂ  吸引ポケット
２２ｃ  貫通穴
２４    ホース
３１    第１のスプロケット
３２    第２のスプロケット
４１    第１の垂直軸
４２    第２の垂直軸
４５    クランプ
【図１】
0004471469.tif 000002
【図２】
0004471469.tif 000003
【図３】
0004471469.tif 000004
【図４】
0004471469.tif 000005
【図５】
0004471469.tif 000006
【図６】
0004471469.tif 000007
【図７】
0004471469.tif 000008